【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  画像を格納する画像領域と、該画像の属性を示す属性情報であって、任意の形式のものを格納可能な任意属性領域とを含む画像ファイルを記録する記録手段と、
タグを定義可能なマークアップ言語を用いてタグを定義し、該定義されたタグにより前記属性情報を記述する記述手段と、
該記述手段によって記述された属性情報を、前記任意属性領域に書き込む書き込み手段と
を有することを特徴とする画像処理装置。
【請求項２】  前記記録された画像ファイルに格納されている画像と属性情報を分離する分離手段と、
該分離手段によって分離された属性情報であって、前記定義されたタグによって記述されているものを解析し、元の属性情報を抽出する抽出手段と
をさらに有することを特徴とする請求項１に記載の画像処理装置。
【請求項３】  画像を格納する画像領域と、該画像の属性を示す属性情報であって、任意の形式のものを格納可能な任意属性領域とを含む画像ファイルを記録する記録手段と、
タグを定義可能なマークアップ言語を用いてタグを定義し、該定義されたタグにより前記属性情報を記述する記述手段と、
該記述手段によって記述された属性情報の一部または全部を暗号化或いは圧縮、もしくは暗号化とともに圧縮する暗号化圧縮手段と、
該暗号化圧縮手段によって暗号化或いは圧縮、もしくは暗号化とともに圧縮された属性情報を、前記任意属性領域に書き込む書き込み手段と
を有することを特徴とする画像処理装置。
【請求項４】  前記記録された画像ファイルに格納されている画像と属性情報を分離する分離手段と、
該分離手段によって分離された属性情報であって、前記暗号化或いは圧縮、もしくは暗号化とともに圧縮されたものを復号化或いは伸長、もしくは伸長とともに復号化する伸長復号化手段と、
該伸長復号化手段によって復号化或いは伸長、もしくは伸長とともに復号化された属性情報であって、前記定義されたタグによって記述されているものを解析し、元の属性情報を抽出する抽出手段と
をさらに有することを特徴とする請求項３に記載の画像処理装置。
【請求項５】  前記抽出された属性情報と該属性情報に対応する画像を表示するための表現形式を規定した１つ以上のスタイルシート記憶するスタイルシート記憶手段と、
該スタイルシート記憶手段に記憶されたスタイルシートから任意のスタイルシートを選択するスタイルシート選択手段と、
該スタイルシート選択手段によって選択されたスタイルシートに従って画像および属性情報を出力する出力手段と
をさらに有することを特徴とする請求項２または４に記載の画像処理装置。
【請求項６】  前記出力手段によって出力された画像および属性情報を表示する表示手段をさらに有する有することを特徴とする請求項５に記載の画像処理装置。
【請求項７】  画像を格納する画像領域と、該画像の属性を示す属性情報であって、任意の形式のものを格納可能な任意属性領域とを含む画像ファイルを記録する記録ステップと、
タグを定義可能なマークアップ言語を用いてタグを定義し、該定義されたタグにより前記属性情報を記述する記述ステップと、
該記述ステップによって記述された属性情報を、前記任意属性領域に書き込む書き込みステップと
を有することを特徴とする画像処理方法。
【請求項８】  前記記録された画像ファイルに格納されている画像と属性情報を分離する分離ステップと、
該分離ステップによって分離された属性情報であって、前記定義されたタグによって記述されているものを解析し、元の属性情報を抽出する抽出ステップと
をさらに有することを特徴とする請求項７に記載の画像処理方法。
【請求項９】  画像を格納する画像領域と、該画像の属性を示す属性情報であって、任意の形式のものを格納可能な任意属性領域とを含む画像ファイルを記録する記録ステップと、
タグを定義可能なマークアップ言語を用いてタグを定義し、該定義されたタグにより前記属性情報を記述する記述ステップと、
該記述ステップによって記述された属性情報の一部または全部を暗号化或いは圧縮、もしくは暗号化とともに圧縮する暗号化圧縮ステップと、
該暗号化圧縮ステップによって暗号化或いは圧縮、もしくは暗号化とともに圧縮された属性情報を、前記任意属性領域に書き込む書き込みステップと
を有することを特徴とする画像処理方法。
【請求項１０】  前記記録された画像ファイルに格納されている画像と属性情報を分離する分離ステップと、
該分離ステップによって分離された属性情報であって、前記暗号化或いは圧縮、もしくは暗号化とともに圧縮されたものを復号化或いは伸長、もしくは伸長とともに復号化する伸長復号化ステップと、
該伸長復号化ステップによって復号化或いは伸長、もしくは伸長とともに復号化された属性情報であって、前記定義されたタグによって記述されているものを解析し、元の属性情報を抽出する抽出ステップと
をさらに有することを特徴とする請求項９に記載の画像処理方法。
【請求項１１】  画像を格納する画像領域と、該画像の属性を示す属性情報であって、任意の形式のものを格納可能な任意属性領域とを含む画像ファイルを記録する記録手順と、
タグを定義可能なマークアップ言語を用いてタグを定義し、該定義されたタグにより前記属性情報を記述する記述手順と、
該記述手順によって記述された属性情報を、前記任意属性領域に書き込む書き込み手順と
をコンピュータに実行させるためのプログラム。
【請求項１２】  前記記録された画像ファイルに格納されている画像と属性情報を分離する分離手順と、
該分離手順によって分離された属性情報であって、前記定義されたタグによって記述されているものを解析し、元の属性情報を抽出する抽出手順と
をさらに有することを特徴とする請求項１１に記載のプログラム。
【請求項１３】  画像を格納する画像領域と、該画像の属性を示す属性情報であって、任意の形式のものを格納可能な任意属性領域とを含む画像ファイルを記録する記録手順と、
タグを定義可能なマークアップ言語を用いてタグを定義し、該定義されたタグにより前記属性情報を記述する記述手順と、
該記述手順によって記述された属性情報の一部または全部を暗号化或いは圧縮、もしくは暗号化とともに圧縮する暗号化圧縮手順と、
該暗号化圧縮手順によって暗号化或いは圧縮、もしくは暗号化とともに圧縮された属性情報を、前記任意属性領域に書き込む書き込み手順と
をコンピュータに実行させるためのプログラム。
【請求項１４】  前記記録された画像ファイルに格納されている画像と属性情報を分離する分離手順と、
該分離手順によって分離された属性情報であって、前記暗号化或いは圧縮、もしくは暗号化とともに圧縮されたものを復号化或いは伸長、もしくは伸長とともに復号化する伸長復号化手順と、
該伸長復号化手順によって復号化或いは伸長、もしくは伸長とともに復号化された属性情報であって、前記定義されたタグによって記述されているものを解析し、元の属性情報を抽出する抽出手順と
をさらに有することを特徴とする請求項１３に記載のプログラム。
【手続補正２】
【補正対象書類名】明細書
【補正対象項目名】００１１
【補正方法】変更
【補正の内容】
【００１１】
上記目的を達成するため、請求項３に記載の画像処理装置は、画像を格納する画像領域と、該画像の属性を示す属性情報であって、任意の形式のものを格納可能な任意属性領域とを含む画像ファイルを記録する記録手段と、タグを定義可能なマークアップ言語を用いてタグを定義し、該定義されたタグにより前記属性情報を記述する記述手段と、該記述手段によって記述された属性情報の一部または全部を暗号化或いは圧縮、もしくは暗号化とともに圧縮する暗号化圧縮手段と、該暗号化圧縮手段によって暗号化或いは圧縮、もしくは暗号化とともに圧縮された属性情報を、前記任意属性領域に書き込む書き込み手段とを有することを特徴とする。
【手続補正３】
【補正対象書類名】明細書
【補正対象項目名】００１２
【補正方法】変更
【補正の内容】
【００１２】
請求項４に記載の画像処理装置は、請求項３の画像処理装置において、前記記録された画像ファイルに格納されている画像と属性情報を分離する分離手段と、該分離手段によって分離された属性情報であって、前記暗号化或いは圧縮、もしくは暗号化とともに圧縮されたものを復号化或いは伸長、もしくは伸長とともに復号化する伸長復号化手段と、該伸長復号化手段によって復号化或いは伸長、もしくは伸長とともに復号化された属性情報であって、前記定義されたタグによって記述されているものを解析し、元の属性情報を抽出する抽出手段とをさらに有することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
請求項５に記載の画像処理装置は、請求項２または４の画像処理装置において、前記抽出された属性情報と該属性情報に対応する画像を表示するための表現形式を規定した１つ以上のスタイルシート記憶するスタイルシート記憶手段と、該スタイルシート記憶手段に記憶されたスタイルシートから任意のスタイルシートを選択するスタイルシート選択手段と、該スタイルシート選択手段によって選択されたスタイルシートに従って画像および属性情報を出力する出力手段とをさらに有することを特徴とする。
【手続補正９】
【補正対象書類名】明細書
【補正対象項目名】００１８
【補正方法】変更
【補正の内容】
【００１８】
請求項６に記載の画像処理装置は、請求項５の画像処理装置において、前記出力手段によって出力された画像および属性情報を表示する表示手段をさらに有する有することを特徴とする。
【手続補正１０】
【補正対象書類名】明細書
【補正対象項目名】００１９
【補正方法】変更
【補正の内容】
【００１９】
上記目的を達成するため、請求項７に記載の画像処理方法は、画像を格納する画像領域と、該画像の属性を示す属性情報であって、任意の形式のものを格納可能な任意属性領域とを含む画像ファイルを記録する記録ステップと、タグを定義可能なマークアップ言語を用いてタグを定義し、該定義されたタグにより前記属性情報を記述する記述ステップと、該記述ステップによって記述された属性情報を、前記任意属性領域に書き込む書き込みステップとを有することを特徴とする。
【手続補正１１】
【補正対象書類名】明細書
【補正対象項目名】００２０
【補正方法】変更
【補正の内容】
【００２０】
上記目的を達成するため、請求項９に記載の画像処理方法は、画像を格納する画像領域と、該画像の属性を示す属性情報であって、任意の形式のものを格納可能な任意属性領域とを含む画像ファイルを記録する記録ステップと、タグを定義可能なマークアップ言語を用いてタグを定義し、該定義されたタグにより前記属性情報を記述する記述ステップと、該記述ステップによって記述された属性情報の一部または全部を暗号化或いは圧縮、もしくは暗号化とともに圧縮する暗号化圧縮ステップと、該暗号化圧縮ステップによって暗号化或いは圧縮、もしくは暗号化とともに圧縮された属性情報を、前記任意属性領域に書き込む書き込みステップとを有することを特徴とする。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
上記目的を達成するため、請求項１１に記載のプログラムは、画像を格納する画像領域と、該画像の属性を示す属性情報であって、任意の形式のものを格納可能な任意属性領域とを含む画像ファイルを記録する記録手順と、タグを定義可能なマークアップ言語を用いてタグを定義し、該定義されたタグにより前記属性情報を記述する記述手順と、該記述手順によって記述された属性情報を、前記任意属性領域に書き込む書き込み手順とをコンピュータに実行させるためのプログラムであることを特徴とする。
【手続補正１５】
【補正対象書類名】明細書
【補正対象項目名】００２４
【補正方法】変更
【補正の内容】
【００２４】
上記目的を達成するため、請求項１３に記載のプログラムは、画像を格納する画像領域と、該画像の属性を示す属性情報であって、任意の形式のものを格納可能な任意属性領域とを含む画像ファイルを記録する記録手順と、タグを定義可能なマークアップ言語を用いてタグを定義し、該定義されたタグにより前記属性情報を記述する記述手順と、該記述手順によって記述された属性情報の一部または全部を暗号化或いは圧縮、もしくは暗号化とともに圧縮する暗号化圧縮手順と、該暗号化圧縮手順によって暗号化或いは圧縮、もしくは暗号化とともに圧縮された属性情報を、前記任意属性領域に書き込む書き込み手順とをコンピュータに実行させるためのプログラムであることを特徴とする。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００３３
【補正方法】変更
【補正の内容】
【００３３】
画像処理回路２０は、Ａ／Ｄ変換器１６からのデータあるいはメモリ制御回路２２からのデータに対して所定の画素補間処理や色変換処理を行う。画像処理回路２０では、撮像した画像データを用いて所定の演算処理がなされ、これにより得られた演算結果に基づいてシステム制御回路５０が自動露出制御手段４０および測距制御手段４２に対して制御を行う、ＴＴＬ（through the lens）方式のＡＦ（オートフォーカス）処理、ＡＥ（自動露出）処理およびＥＦ（調光）処理がなされている。さらに、画像処理回路２０では、撮像した画像データを用いて所定の演算処理がなされ、これにより得られた演算結果に基づいてＴＴＬ方式のＡＷＢ（オートホワイトバランス）処理もなされている。